(57)【要約】【課題】側柵の隙間（隣接する側柵間の隙間を含む）に利用者の身体の一部が挟まることによって起こる事故を防止することができるとともに、長さの異なる種々の側柵に容易に対応することができる側柵用カバー部材を提供すること。【解決手段】カバー本体２１を下端を開放した袋状に形成するとともに、この袋状のカバー本体２１の長さ方向の少なくとも一端側を内部側に折り込んだ状態で開口端を閉止する閉止部材２２を備える。【選択図】図１
2010221014.tif 000002
【特許請求の範囲】
【請求項１】
ベッド装置の側部に設けられる側柵をカバーする側柵用カバー部材において、カバー本体を下端を開放した袋状に形成するとともに、該袋状のカバー本体の長さ方向の少なくとも一端側を内部側に折り込んだ状態で開口端を閉止する閉止部材を備えてなることを特徴とする側柵用カバー部材。
【請求項２】
閉止部材がスライドファスナからなることを特徴とする請求項１記載の側柵用カバー部材。
【請求項３】
ベッド装置の側部に設けられる側柵をカバーする側柵用カバー部材において、カバー本体を下端を開放した袋状に形成するとともに、該袋状のカバー本体の長さ方向の一端側を開放し、開放端側を重畳可能な２つの分割体で構成したことを特徴とする側柵用カバー部材。
【請求項４】
カバー本体が透視可能な材料によって形成されてなることを特徴とする請求項１、２又は３記載の側柵用カバー部材。
【発明の詳細な説明】
【技術分野】
【０００１】
本発明は、ベッド装置の側部に設けられる側柵をカバーする側柵用カバー部材に関し、特に、長さの異なる種々の側柵に容易に対応することができる側柵用カバー部材に関するものである。
【背景技術】
【０００２】
例えば、介護用ベッド装置等のベッド装置においては、利用者や寝具が落下するのを防止するために、ベッド装置の側部に側柵を設けるようにしている。
【０００３】
ところで、この側柵は、側柵が露出した状態で使用されることが多いが、側柵の隙間（隣接する側柵間の隙間を含む）に利用者の身体の一部が挟まることによって骨折等の重大事故を引き起こすおそれがあることが指摘されている。
【０００４】
この問題に対処するため、側柵をカバーする側柵用カバー部材（例えば、特許文献１参照）が提案されているが、図２に示すように、側柵１は、ベッド装置毎に、また、目的や用途等に応じて、長さＬａ、Ｌｂが異なり、長さの適合しない側柵用カバー部材を用いた場合、利用者の身体の一部が側柵用カバー部材に引っ掛かることによって新たな事故を引き起こすおそれがあるため、長さＬａ、Ｌｂの異なる側柵１毎に側柵用カバー部材を用意しなければならないという問題があった。
【先行技術文献】
【特許文献】
【０００５】
【特許文献１】特開２００４−２６７２５９号公報
【発明の概要】
【発明が解決しようとする課題】
【０００６】
本発明は、上記従来の側柵用カバー部材の有する問題点に鑑み、側柵の隙間（隣接する側柵間の隙間を含む）に利用者の身体の一部が挟まることによって起こる事故を防止することができるとともに、長さの異なる種々の側柵に容易に対応することができる側柵用カバー部材を提供することを目的とする。
【課題を解決するための手段】
【０００７】
上記目的を達成するため、本第１発明の側柵用カバー部材は、ベッド装置の側部に設けられる側柵をカバーする側柵用カバー部材において、カバー本体を下端を開放した袋状に形成するとともに、該袋状のカバー本体の長さ方向の少なくとも一端側を内部側に折り込んだ状態で開口端を閉止する閉止部材を備えてなることを特徴とする。
【０００８】
この場合において、閉止部材をスライドファスナから構成することができる。
【０００９】
また、同じ目的を達成するため、本第２発明の側柵用カバー部材は、ベッド装置の側部に設けられる側柵をカバーする側柵用カバー部材において、カバー本体を下端を開放した袋状に形成するとともに、該袋状のカバー本体の長さ方向の一端側を開放し、開放端側を重畳可能な２つの分割体で構成したことを特徴とする。
【００１０】
そして、これらの場合において、カバー本体を透視可能な材料によって形成することができる。
【発明の効果】
【００１１】
本第１発明の側柵用カバー部材によれば、袋状のカバー本体を側柵に被せるだけで、側柵に形成された隙間を覆うことができ、側柵の隙間（隣接する側柵間の隙間を含む）に利用者の身体の一部が挟まることによって起こる事故を防止することができるとともに、長さの異なる種々の側柵に容易に対応することができる。
【００１２】
また、閉止部材をスライドファスナから構成することにより、側柵用カバー部材の長さの調整を、簡易かつ確実に行うことができる。
【００１３】
また、本第２発明の側柵用カバー部材によれば、袋状のカバー本体を側柵に被せるだけで、側柵に形成された隙間を覆うことができ、側柵の隙間（隣接する側柵間の隙間を含む）に利用者の身体の一部が挟まることによって起こる事故を防止することができるとともに、長さの異なる種々の側柵に容易に対応することができる。
【００１４】
また、カバー本体を透視可能な材料によって形成することにより、視界が遮断されることがなく、開放的な環境を維持することができる。
【図面の簡単な説明】
【００１５】
【図１】本発明の側柵用カバー部材の第１実施例を示し、（ａ）は長さを調節していない状態の正面図、（ｂ）は長さを調節して短くした状態の正面図、（ｃ）は側柵用カバー部材を裏返した状態の正面図である。
【図２】側柵の一例を示す正面図で、（ａ）は長さの長い側柵、（ｂ）は長さの短い側柵を示す。
【図３】本発明の側柵用カバー部材の第２実施例を示し、（ａ）は側柵用カバー部材の第１の分割体を側柵に装着した状態の正面図、（ｂ）は側柵用カバー部材の第１及び第２の分割体を側柵に装着した状態の正面図である。
【発明を実施するための形態】
【００１６】
以下、本発明の側柵用カバー部材の実施の形態を、図面に基づいて説明する。
【実施例１】
【００１７】
図１に、本発明の側柵用カバー部材の第１実施例を示す。
この側柵用カバー部材２は、図２に示すようなベッド装置の側部に設けられる側柵１をカバーするもので、カバー本体２１を下端を開放した袋状に形成するとともに、この袋状のカバー本体２１の長さ方向の少なくとも一端側を内部側に折り込んだ状態で開口端を閉止する閉止部材２２を備えるようにしている。
【００１８】
この場合において、カバー本体２１の下端の開放部２１ａは、カバー本体２１の下端縁の全長を開放することもできるが、側柵用カバー部材２を側柵１に装着した後の装着安定性等を考慮して、本実施例に示すように、側柵用カバー部材２を側柵１に装着するために必要とされる最小限の寸法の開放部２１ａを形成するようにすることが望ましい。
なお、カバー本体２１の下端の開放部２１ａに続く部分２１ｂを、スライドファスナ等の閉止手段を配設して開放可能に構成することもでき、これにより、側柵１への装着性を向上することができる。
【００１９】
また、カバー本体２１の下端の開放部２１ａの端部には、側柵用カバー部材２を側柵１に装着した後の装着安定性等を考慮して、カバー本体２１を構成する面材料の対向する内面同士を固着する面ファスナ２３を設けるようにしている。
なお、側柵用カバー部材２を側柵１に装着した後の装着安定性を向上するために、カバー本体２１を構成する面材料の適宜部位、例えば、カバー本体２１の上端縁の近傍に、同様の固着手段を設けることもできる。
また、固着手段は、面ファスナに限定されず、例えば、紐部材等の他の固着手段を用いることもでき、さらに、固着手段によって、カバー本体２１を構成する面材料の対向する内面同士を固着するのと併せて、側柵用カバー部材２と側柵１とを固定するようにすることもできる。
【００２０】
そして、本実施例の側柵用カバー部材２は、袋状のカバー本体２１の長さ方向の少なくとも一端側を内部側に折り込んだ状態で開口端を閉止する閉止部材２２を備え、図１（ｂ）に示すように、袋状のカバー本体２１の一端側を内部側に折り込んだ状態で開口端を閉止部材２２により閉止することにより、内部側に折り込んだ部分が外部に露出しないようにしている。
これにより、図２に示すような長さの異なる種々の側柵１に容易に対応することができるようにしている。
ここで、閉止部材２２は、カバー本体２１の長さ方向の任意の位置（対象となる側柵１の長さＬａ、Ｌｂに対応した位置）に設けることができ、特に限定されるものではないが、本実施例においては、３箇所に閉止部材２２ａ、２２ｂ、２２ｃを設けることにより、長さの異なる４種類の側柵（閉止部材２２ａは図２（ａ）の側柵１、閉止部材２２ｂは図２（ｂ）の側柵１）に用いることができるようにしている。
なお、本実施例においては、一端側のみを内部側に折り込むことができるように構成しているが、両端を内部側に折り込むことができるように構成することもできる。
また、側柵用カバー部材２の調節していない状態での大きさ（長さＬｏや上下方向の幅）は、対象となる側柵１の大きさ（長さや上下方向の幅）に応じて任意に設定することができる。
さらに、側柵用カバー部材２の長さを、側柵１の長さの２倍以上の長さに形成することによって、必要に応じて、隣接する２つの側柵１をまとめて１つの側柵用カバー部材２でカバーするようにすることもでき、これにより、隣接する側柵１間の隙間を覆うようにして、隣接する側柵１間の隙間に利用者の身体の一部が挟まることによって起こる事故を防止することができる。
【００２１】
袋状のカバー本体２１の開口端を閉止する閉止部材２２ｂには、本実施例においては、スライドファスナを用いるようにしている。
ここで、スライドファスナの開放時のスライダの配設位置は、カバー本体２１の上端縁又は下端縁のいずれに設定することもでき、また、オープン方式のスライドファスナを使用することもできる。
なお、用いることができる閉止手段は、スライドファスナに限定されず、例えば、面ファスナ、ホック、ボタン等の任意の閉止手段を用いることができる。
【００２２】
また、カバー本体２１を構成する面材料には、メッシュ、レース等の布地や透明又は半透明の合成樹脂シートからなる透視可能な材料を用いることができる。
これにより、ベッド装置の利用者の視界が遮断されることがなく、開放的な環境を維持することができる。
【００２３】
また、側柵用カバー部材２を側柵１に装着した際に、利用者が把持することになるカバー本体２１の上端縁の近傍（さらに必要に応じて、側縁の近傍）の裏面（側柵１に接する側）に、滑り止め２４を施すことができる。
この滑り止め２４は、カバー本体２１を構成する面材料に、ポリウレタン樹脂、シリコン樹脂、アクリル樹脂等の合成樹脂材料（発泡させた合成樹脂材料を含む）や滑りにくい繊維素材（例えば、ポリウレタン糸をループ状に密集して起毛したパイル地）等を一体に設けることにより形成することができる。
これにより、利用者が、側柵用カバー部材２を介して側柵１を把持した場合に、側柵用カバー部材２と側柵１がずれることなく一体的に把持することができ、安全性を向上することができる。
【００２４】
この側柵用カバー部材２は、袋状のカバー本体２１を側柵１に被せるだけで、側柵１に形成された隙間を覆うことができ、側柵１の隙間（隣接する側柵１間の隙間を含む）に利用者の身体の一部が挟まることによって起こる事故を防止することができるとともに、長さの異なる種々の側柵１に容易に対応することができる。
【実施例２】
【００２５】
図３に、本発明の側柵用カバー部材の第２実施例を示す。
この側柵用カバー部材２は、図２に示すようなベッド装置の側部に設けられる側柵１をカバーするもので、カバー本体２Ａ、２Ｂを下端を開放した袋状に形成するとともに、この袋状のカバー本体２Ａ、２Ｂの長さ方向の一端側を開放し、開放端側を重畳可能な２つの分割体で構成するようにしている。
【００２６】
この場合において、カバー本体２Ａの下端は、カバー本体２Ａの下端縁の全長を開放することもできるが、カバー本体２Ａを側柵１に装着した後の装着安定性等を考慮して、本実施例に示すように、カバー本体２Ａを側柵１に装着するために必要とされる最小限の寸法の開放部２１ａを形成するようにすることが望ましい。
また、カバー本体２Ａの下端の開放部２１ａの端部には、カバー本体２Ａを側柵１に装着した後の装着安定性等を考慮して、カバー本体２Ａを構成する面材料の対向する内面同士を固着する面ファスナ２３を設けるようにしている。
【００２７】
一方、カバー本体２Ｂの下端は、カバー本体２Ｂの下端縁の全長を開放することができるようにするとともに、カバー本体２Ｂを側柵１に装着した後の装着安定性等を考慮して、開口端を閉止する閉止部材２６としてのスライドファスナ２６ａを設けるようにしている。
【００２８】
そして、本実施例の側柵用カバー部材２は、まず、図３（ａ）に示すように、一方のカバー本体２Ａを側柵１に装着し、その後、図３（ｂ）に示すように、他方のカバー本体２Ｂを側柵１に、カバー本体２Ａとカバー本体２Ｂの開放端側が重畳されるようにして装着するようにする。
この場合、カバー本体２Ｂを側柵１に装着した後の装着安定性等を考慮して、カバー本体２Ｂの開放端側の端縁と、カバー本体２Ａの表面とを固着する面ファスナ２５ａ、２５ｂを設けるようにしている。
【００２９】
ここで、カバー本体２Ａ、２Ｂの長さ方向の寸法Ｌｏａ、Ｌｏｂは、対象となる側柵１の長さＬａ、Ｌｂに対応した寸法に設定することができるが、通常、対象となる最も長い側柵１の長さＬａの１／２より若干長い寸法に設定することにより、重畳部（通常、１０ｃｍ以上）を確保できるようにする。
【００３０】
この側柵用カバー部材２は、カバー本体２Ａ、２Ｂを側柵１に被せるだけで、側柵１に形成された隙間を覆うことができ、側柵１の隙間（隣接する側柵１間の隙間を含む）に利用者の身体の一部が挟まることによって起こる事故を防止することができるとともに、長さの異なる種々の側柵１に容易に対応することができる。
【００３１】
なお、本実施例の側柵用カバー部材２のその他の構成及び作用は、上記第１実施例の側柵用カバー部材２と同様である。
【００３２】
以上、本発明の側柵用カバー部材について、複数の実施例に基づいて説明したが、本発明は上記実施例に記載した構成に限定されるものではなく、その趣旨を逸脱しない範囲において適宜その構成を変更することができるものである。
【産業上の利用可能性】
【００３３】
本発明の側柵用カバー部材は、側柵の隙間（隣接する側柵間の隙間を含む）に利用者の身体の一部が挟まることによって起こる事故を防止することができるとともに、長さの異なる種々の側柵に容易に対応することができることから、介護用ベッド装置の用途に好適に用いることができるほか、側柵を備えた各種ベッド装置の用途に広く用いることができる。
【符号の説明】
【００３４】
１    側柵
２    側柵用カバー部材
２１  カバー本体
２Ａ  カバー本体（分割体）
２Ｂ  カバー本体（分割体）
２１ａ  開放部
２２  閉止部材
２３  面ファスナ
２４  滑り止め
２５ａ  面ファスナ
２５ｂ  面ファスナ
２６  閉止部材
【図１】
2010221014.tif 000003
【図２】
2010221014.tif 000004
【図３】
2010221014.tif 000005